(57)【特許請求の範囲】
【請求項１】
筒状をしたスリーブコアを径方向の両側から覆い、かつ互いに係合手段を有して筒状に一体係合される半筒容器状をした一対の分割ケースからなるスリーブコアケースであって、一方の分割コアケースと他方の分割コアケースを筒軸方向にずらした状態で両者を仮係合する仮係合手段を備えることを特徴とするスリーブコアケース。
【請求項２】
前記一対の分割コアケースには、互いに筒軸方向に対向する位置に設けられて両者を係合するための係合手段と、前記係合手段とは異なる筒軸方向の位置に形成されて相手方の分割コアケースの前記係合手段に仮係合する仮係合手段とを備えることを特徴とする請求項１に記載のスリーブコアケース。
【請求項３】
前記係合手段及び仮係合手段はそれぞれ係合される相手方の分割コアケースに向けて突出されるフック形状に形成されていることを特徴とする請求項２に記載のスリーブコアケース。
【発明の詳細な説明】
【０００１】
【発明の属する技術分野】
本発明はケーブルを伝送される信号中のノイズを除去するためのフェライトコアを保持するためのコアケースに関し、特に筒状をしたフェライトコアを保持するためのスリーブコアケースに関するものである。
【０００２】
【従来の技術】
ケーブルを伝送される信号中のノイズを除去するために、ケーブルを包囲するようにフェライトコアを配設した構成のフィルタが提案されている。この種のフィルタとして、ケーブルに対する取り付けの容易性から、径方向に分割した半筒状の一対の分割フェライトコアでケーブルを挟み、その外側からコアケースで覆うようにした構成のものが用いられている。しかしながら、この種のものは、一対の分割フェライトコアでケーブルで挟んだときに両分割フェライトコアを密接させるために両分割フェライトコアの密接面の面精度を高める必要があり、製造コストが高くなるという問題がある。また、容易に取り外しが可能であるため、取り外されたり、取り付け位置が変わるとフィルタの性能が変化されるため、民生用の電子機器に採用することが難しいという問題がある。
【０００３】
一方、フェライトコアを筒状をしたスリーブコアとして形成し、ケーブルを一端からスリーブコア内を挿通させた上で、ケーブルとフェライトコアを一体に樹脂モールドした構造のフィルタも提供されている。このフィルタではスリーブコアに密接面が生じないためスリーブコアを低コストに製造できるが、ケーブルとフェライトコアを一体に樹脂モールドするための設備が必要であり、かつそのための工数も必要となり、結果としてコストの低減を図ることは困難である。また、樹脂モールドする際にフェライトコアに割れや欠けが生じると、フィルタ性能が低下することになるが、樹脂モールドの外側からはその不具合を発見することができないと言う問題もある。
【０００４】
【発明が解決しようとする課題】
このようなことから、従来では、スリーブコアの外側を径方向に分割した半円筒容器状の一対の分割コアケースで覆うようにした構造のフィルタが提案されている。このフィルタでは、スリーブコアを低コストに製造でき、またスリーブコアを覆う作業は一対の分割コアケースを単に嵌合させるのみであるため容易に行うことができ、しかも分割コアケースを嵌合させる直前までスリーブコアの割れや欠けを発見することが可能である。しかしながら、このフィルタを民生用電子機器に採用する場合には、分割コアケースが容易に分解されてスリーブコアがケーブル上で移動されることがないように、すなわち、フィルタ位置が変化されることがないように分割コアケースの外側からは両者を分解することができないような係合構造を有している。そのため、ケーブルに対するスリーブコアの位置を最終的に決定するまでは、分割コアケースを組み立てることができず、ケーブル及びケーブルに挿通させたスリーブコアとは別に分割コアケースを取り扱う必要であり、そのために分割コアケースのみをビニール袋等に入れてケーブル及びスリーブコアと組み合わせた状態で納品、搬送を行う必要があり、また、組み立て時にはビニール袋から分割コアケースを取り出す作業が必要であり、その取り扱いが面倒なものになるという問題がある。
【０００５】
本発明の目的は、分割コアケースの取着に際しての取り扱いを簡易化し、かつ取着に際しての作業性を改善することが可能なスリーブコアケースを提供するものである。
【０００６】
【課題を解決するための手段】
本発明は、筒状をしたスリーブコアを径方向の両側から覆い、かつ互いに係合手段を有して筒状に一体係合される半筒容器状をした一対の分割ケースからなるスリーブコアケースであって、一方の分割コアケースと他方の分割コアケースを筒軸方向にずらした状態で両者を仮係合する仮係合手段を備えることを特徴とする。例えば、一対の分割コアケースには、互いに筒軸方向に対向する位置に設けられて両者を係合するための係合手段と、この係合手段とは異なる筒軸方向の位置に形成されて相手方の分割コアケースの係合手段に仮係合する仮係合手段とを備える。この場合、係合手段及び仮係合手段はそれぞれ係合される相手方の分割コアケースに向けて突出されるフック形状に形成されることが好ましい。
【０００７】
本発明によれば、最終的を取着を行うまでは仮係合手段を用いて分割コアケースを仮止め状態とすることで、スリーブコアと共に分割コアケースをケーブルに付属させておくことができ、ケーブルを電子機器に組み付ける際の取り扱いを容易にするとともに取着に際しての作業性を高めることができる。また、最終的な取着を行う際には、既に仮止めされている分割コアケースを分解した上でスリーブコアと共にケーブル上の所定の位置に設定し、再度分割コアケースを係合手段によって組み立てればよいため、その作業も容易なものとなる。このとき、分割コアケースの仮止めは係合手段と仮係合手段による係合であるため容易に分解でき、また、再度組み立てた分割コアケースは係合手段同士の係合であるため強固な状態となり、簡単に分解されることはなく、所望のフィルタ特性を維持することが可能になる。
【０００８】
【発明の実施の形態】
次に、本発明の実施形態を図面を参照して説明する。図１は本発明のスリーブコアケース１と、円筒状をしたフェライトコア、すなわちスリーブコア３の斜視図である。スリーブコア３は、図２（ａ），（ｂ），（ｃ）に正面図、右側面図、ＡＡ線断面図を示すように、フェライトを円筒状に形成したものであり、その中心の軸穴３１内に図外のケーブルを挿通し、当該ケーブルを伝送される信号中に混入されるパルス状のノイズを吸収する。前記スリーブコア３は前記軸穴３１の両端部が短い領域にわたって増径された径方向の段部３２が形成されており、後述するようにこの段部３２においてスリーブコアケース１内に係合状態に保持されるようになっている。
【０００９】
前記スリーブコアケース１は、半円筒容器状をした一対の分割コアケース１０，２０で構成されており、これらの分割コアケース１０，２０は各開口面を互いに合わせたときに全体として円筒容器となり、かつ、両分割コアケース１０，２０によって画成される空間内に前記スリーブコア３を収納することができるように内径寸法と軸方向寸法が設定されている。ただし、両分割コアケース１０，２０の軸方向寸法はスリーブコア３の軸方向の長さよりも若干寸法、この例では１ｃｍ程度だけ長い寸法となるように設定されている。前記分割コアケース１０，２０はいずれも両端面に半円形のケーブル挿通溝１１，２１が形成されるとともに、各ケーブル挿通溝１１，２１の内面には中心方向に向けて三角状をした複数の突起１２，２２が突出されており、これらの突起１２，２２は挿通される図外のケーブルの外被に食い込むことが可能とされている。
【００１０】
前記分割コアケース１０は、図３（ａ），（ｂ），（ｃ），（ｄ）に平面図、右側面図、Ａ１−Ａ１線断面図、Ｂ１−Ｂ１線断面図を示すように、軸方向に向けられた開口縁にガイド突条１３が形成されており、後述する分割コアケース２０のガイド溝条２３に嵌合して両分割コアケース１０，２０の径方向の相対位置決めを行うようになっている。また、前記分割コアケース１０には軸方向に対向した一対のコアフック１４が円周状をした内側面に径方向に突設されている。これらのコアフック１４は前記スリーブコア３の軸方向の長さに等しい間隔で対向配置され、また前記スリーブコア３の段部３２に対応した長さで立設されている。これらのコアフック１４は分割コアケース１０内に内装されたスリーブコア３の両端部においてその軸穴３１の段部３２に係合し、スリーブコア３を分割コアケース１０内に保持するために設けられている。
【００１１】
また、前記分割コアケース１０の軸方向の両端壁の内面で、かつ前記ケーブル挿通溝１１を挟む両側部位には、径方向に係合することが可能な各一対の係合フック１５，１６がそれぞれ形成されている。これらの係合フック１５，１６は後述する分割コアケース２０に設けられる係合フック２４，２５と係合したときに容易に離脱することがない頂角が鋭角なフック形状に形成されている。さらに、前記分割コアケース１０の内側面には、前記係合フック１６と前記一方のコアフック１４との間でしかも当該コアフック１４に近い部位に径方向に向けて一対の仮係合フック１７が突設されている。この仮係合フック１７は後述する分割コアケース２０に設けられる係合フック２５と係合したときに容易に離脱させることが可能な頂角が鈍角のフック形状に形成されている。
【００１２】
一方、前記分割コアケース２０は、図４（ａ），（ｂ），（ｃ），（ｄ）に平面図、右側面図、Ａ２−Ａ２線断面図、Ｂ２−Ｂ２線断面図を示すように、軸方向に向けられた開口縁にガイド溝条２３が形成されており、前記分割コアケース１０のガイド突条１３に嵌合される。また、前記分割コアケース２０は、軸方向の両端壁の内面にそれぞれ前記ケーブル挿通溝２１を挟む両側部位に各一対の係合フック２４，２５がそれぞれ外側に向けて形成されている。これらの係合フック２４，２５は分割コアケース２０の開口縁よりも径方向に突出されたフック片構造として形成されており、しかも各係合フック２４，２５は前記分割コアケース１０に設けられた係合フック１５，１６と係合したときに容易に離脱することがない頂角が鋭角なフック形状に形成されている。また、前記分割コアケース２０の一方の端壁、すなわち前記分割コアケース１０に設けられた仮係合フック１７と軸方向に反対側の端壁よりもそれぞれ所定寸法だけ軸方向内側の部位、すなわち前記分割コアケース１０の前記仮係合フック１７と係合フック１８との軸方向寸法に等しい寸法の位置に、径方向に向けて一対の仮係合フック２６が立設されている。この仮係合フック２６は前記分割コアケース１０に設けられた係合フック１５と係合したときに容易に離脱させることが可能な頂角が鈍角のフック形状に形成されている。
【００１３】
以上の構成のスリーブコアケース１によるスリーブコア３の装着方法について説明する。図５（ａ）に斜視図を示すように、ケーブルＣを電子機器に配設する前の段階、すなわちケーブルＣの搬送時、ケーブルＣの接続作業時等においては、スリーブコア３はノイズ吸収の対象となるケーブルＣを軸穴３１内に挿通させて組み付けを行っておく。ただし、このときにはスリーブコア３を装着するケーブルＣ上での長さ方向の位置は設定していない。そして、前記スリーブコア３に対し、径方向の一方から分割コアケース１０を被せ、当該分割コアケース１０の一対のコアフック１４間にスリーブコア３を挿入し、両コアフック１４をスリーブコア３の両端の段部３２に係合させる。これによりスリーブコア３は分割コアケース１０内に係合保持されることになる。次いで、前記スリーブコア３に対して径方向の反対側から分割コアケース２０を被せ、分割コアケース１０に対して分割コアケース２０を仮止めする。この場合、両分割コアケース１０，２０はガイド突条１３とガイド溝条２３とを合わせることで径方向の位置決めが行われる。
【００１４】
その一方で、この仮止めの状態では両分割コアケース１０，２０の軸方向位置は本来嵌合される位置に対して若干寸法だけずらしている。すなわち、図６（ａ），（ｂ）に図５（ａ）のＡ３−Ａ３線断面図、Ｂ３−Ｂ３線断面図を示すように、分割コアケース１０の仮係合フック１７を分割コアケース２０の軸方向一方の係合フック２５に係合し、分割コアケース２０の仮係合フック２６を分割コアケース１０の軸方向他方の係合フック１５に係合する。このとき、分割コアケース２０の係合フック２４と分割コアケース１０の係合フック１６はそれぞれ係合状態にはない。これにより分割コアケース１０，２０は係合フック１５と仮係合フック２６、仮係合フック１７と係合フック２５のそれぞれの係合によって仮止め状態となり、スリーブコア３及びスリーブコアケース１はケーブルＣと一体の取り扱いを行うことが可能になり、分割コアケース１０，２０が紛失するようなことが防止され、またその後におけるフィルタの配設作業を容易なものとする。また、この状態においては、分割コアケース１０，２０は互いに係合された状態のままでスリーブコア３を覆うため、ケーブルＣの搬送時等においてスリーブコア３をスリーブコアケース１によって保護し、外力等によるスリーブコア３の割れや欠けを防止する。
【００１５】
ケーブルを電子機器内に配設した後、フィルタをケーブルの長さ方向の所定位置に設定する際には、一旦分割コアケース１０に対する分割コアケース２０の係合を解除し、分割コアケース２０を取り外す。このとき、両分割コアケース１０，２０は係合フック１５，２５と仮係合フック２６，１７の係合であり、特に仮係合フック２６，１７はフック形状が鈍角に形成されているため、係合フック１５，２５が鋭角なフック形状に形成されていても比較的容易にフックを外して分割コアケース２０を取り外すことが可能である。そして、分割コアケース２０を取り外すことにより、分割コアケース１０，２０の各突起１２，２２によるケーブルＣの被覆への食い込み状態が解除されるため、分割コアケース１０及びスリーブコア３をケーブルＣの長さ方向に沿って移動させることが可能となり、ケーブルＣの長さ方向の任意の位置にスリーブコア３及び分割コアケース１０を位置決めする。
【００１６】
次いで、図５（ｂ）の斜視図のように、取り外した分割コアケース２０を今度は分割コアケース１０に対して軸方向の位置を合わせて再度係合させる。この状態では、図７（ａ），（ｂ）に図５（ｂ）のＡ４−Ａ４線断面図、Ｂ４−Ｂ４線断面図を示すように、分割コアケース１０の係合フック１５，１６と分割コアケース２０の係合フック２４，２５とが互いに係合し、各係合フック１５，１６，２４，２５はフック形状が鋭角に形成されているので両者の係合は強固なものとなり、係合状態を容易に解除することができなくなる。このとき、両分割コアケース１０，２０の各仮係合フック１７，２６は係合状態にはない。また、この状態では両分割コアケース１０，２０の各ケーブル挿通溝１１，２１の突起１２，２２がケーブルの被覆に食い込むためケーブルＣの長さ方向における両分割コアケース１０，２０及びスリーブコア３の位置決め、すなわちフィルタの位置決めを行うことができる。したがって、このフィルタを民生機器に使用した場合でも簡単に分解されることはなく、かつスリーブコアの位置が移動されることもなく、所望のフィルタ特性を確保することが可能である。
【００１７】
このように、フィルタをケーブルに対して最終的に取着するまでは分割コアケース１０，２０の軸方向位置をずらして両者を仮止め状態とすることで、スリーブコア３及び分割コアケース１０，２０からなるフィルタを一括したセット状態でケーブルに付属させておくことができ、ケーブルを電子機器に配設すると同時にフィルタの仮止めを行うことができる。これにより、分割コアケース１０，２０とスリーブコア３を別部品として準備、管理しておく場合に比較して電子機器の組み立ての作業性を高めることが可能になる。また、フィルタを最終的にケーブルに取着する際には、前もって仮止めされている分割コアケース１０，２０を分解した上でケーブル上の所定の位置に設定し、再度分割コアケース１０，２０を組み立てればよいため、その作業も容易なものとなる。このとき、分割コアケース１０，２０の仮止めは係合フックと仮係合フックによる係合であるため容易に分解できる一方、再度の組み立てによる分割コアケース１０，２０は係合フック同士の係合であるため強固な状態となり、簡単に分解されることはない。
【００１８】
ここで、分割ケースの外形状は前記実施形態のような円筒状に限られるものではなく、矩形或いは多角形の筒状であってもよい。また、係合手段及び仮係合手段としての係合フック及び仮係合フックの個数や形状についても前記実施形態のものに限られるものではない。
【００１９】
【発明の効果】
以上説明したように本発明は、スリーブコアを覆うための一対の分割コアケースを軸方向にずらした状態で仮止め可能な構成としているので、最終的を取着を行うまではスリーブコアと共に分割コアケースをケーブルに付属させておくことができ、ケーブルを電子機器に組み付ける際の取り扱いを容易なものにするとともに取着に際しての作業性を高めることができる。また、最終的な取着を行う際には、既に仮止めされている分割コアケースを分解した上で、再度分割コアケースを組み立てればよいため、その作業も容易なものとなる。特に、分割コアケースの仮止めは係合手段と仮係合手段による係合であるため容易に分解でき、また、再度組み立てた分割コアケースは係合手段同士の係合であるため強固な状態となり、簡単に分解されることはなく、所望のフィルタ特性を維持することが可能になる。
【図面の簡単な説明】
【図１】本発明のスリーブコアケースの分解斜視図である。
【図２】スリーブコアの平面図、右側面図、Ａ−Ａ線断面図である。
【図３】分割コアケースＡの平面図、右側面図、Ａ１−Ａ１線断面図、Ｂ１−Ｂ１線断面図である。
【図４】分割コアケースＢの平面図、右側面図、Ａ２−Ａ２線断面図、Ｂ２−Ｂ２線断面図である。
【図５】分割コアケースの仮止め状態と最終取着状態の各斜視図である。
【図６】図５（ａ）のＡ３−Ａ３線断面図、Ｂ３−Ｂ３線断面図である。
【図７】図５（ｂ）のＡ４−Ａ４線断面図、Ｂ４−Ｂ４線断面図である。
【符号の説明】
１  スリーブコアケース
３  スリーブコア
１０，２０  分割コアケース
１１，２１  ケーブル挿通溝
１２，２２  突起
１３  ガイド突条
１４  コアフック
１５，１６  係合フック
１７  仮係合フック
２３  ガイド溝条
２４，２５  係合フック
２６  仮係合フック
３１  軸穴
３２  段部
【図１】
0003847592.tif 000002
【図２】
0003847592.tif 000003
【図３】
0003847592.tif 000004
【図４】
0003847592.tif 000005
【図５】
0003847592.tif 000006
【図６】
0003847592.tif 000007
【図７】
0003847592.tif 000008